(57)【要約】【課題】片方に高価なＭＰＯ形光コネクタを使用する必要がなく多心光ケーブルを接続することができ、簡単な構造で部品代を削減することができる光コネクタ用アダプタおよび光コネクタの接続構造を提供する。【解決手段】光コネクタ用アダプタ１００は、ＭＰＯ形光コネクタをワンタッチ着脱可能に保持する第１のハウジング部１０と、ＭＴ形光コネクタを保持する第２のハウジング部２０とを備える。第１のハウジング部１０は、外部ハウジング１０ａと、外部ハウジング内に挿入されるインナーハウジング１０ｂとから構成される。第２のハウジング部２０は、角筒状の本体２１と、鍔部２２と、ＭＴ形光コネクタの挿入位置を規制する位置決め部２３と、ＭＴ形光コネクタを保持する保持手段としての一対の係止部２４およびスリット２５とを有する。【選択図】図１
2011221397.tif 000002
【特許請求の範囲】
【請求項１】
２つの光コネクタの接続端面を突合せ状態で連結する光コネクタ用アダプタにおいて、
ＭＰＯ形光コネクタをワンタッチ着脱可能に保持する第１のハウジング部と、先端側の断面より後端側の断面が大きく形成され側面に段差部を有するＭＴ形光コネクタを保持する第２のハウジング部とを備え、
前記第２のハウジング部の内側には前記ＭＴ形光コネクタの段差部に引っ掛かり前記ＭＴ形光コネクタの挿入位置を規制する位置決め部が形成され、前記第２のハウジング部の挿入口側には挿入された前記ＭＴ形光コネクタを保持する保持手段が形成されることを特徴とする光コネクタ用アダプタ。
【請求項２】
前記保持手段は、前記第２のハウジング部の対向する両側面に内側へ突出する一対の係止部と、前記係止部の両側に前記第２のハウジング部の長手方向に沿って設けられたスリットとから構成されることを特徴とする請求項１に記載の光コネクタ用アダプタ。
【請求項３】
２つの光コネクタの接続端面を突合せ状態で連結する光コネクタ用アダプタを用いた光コネクタの接続構造において、
ＭＰＯ形光コネクタをワンタッチ着脱可能に保持する第１のハウジング部と、ＭＴ形光コネクタを保持する第２のハウジング部と、前記第２のハウジング部に挿入され、先端側の断面より後端側の断面が大きく形成され側面に段差部を有するＭＴ形光コネクタとを備え、
前記第２のハウジング部の内側には前記ＭＴ形光コネクタの段差部に引っ掛かり前記ＭＴ形光コネクタの挿入位置を規制する位置決め部が形成され、前記第２のハウジング部の挿入口側には前記ＭＴ形光コネクタを保持する保持手段が形成されることを特徴とする光コネクタの接続構造。
【請求項４】
前記保持手段は、前記第２のハウジング部の対向する両側面に内側へ突出する一対の係止部と、前記係止部の両側に前記第２のハウジング部の長手方向に沿って設けられたスリットとから構成されることを特徴とする請求項３に記載の光コネクタの接続構造。
【発明の詳細な説明】
【技術分野】
【０００１】
本発明は、光通信システムに用いられる光ファイバを接続するための光コネクタ用アダプタに関し、特に、ＪＩＳ規格ＪＩＳ Ｃ ５９８２ Ｆ１３形等の多心光コネクタを接続するための光コネクタ用アダプタおよび光コネクタの接続構造に関するものである。
【背景技術】
【０００２】
近年、通信速度の高速化、通信の遠隔化及び通信データ量の増大に伴い、通信システムにおける信号を伝送する媒体として光ファイバ（光ケーブル）を採用する場合が急増している。
【０００３】
各種光ファイバ（光ケーブル）を配線する際に、単心光コネクタ、多心光コネクタが多く用いられている。多心光コネクタとしては、例えば、テープ状の光ファイバ（いわゆる光ファイバテープ心線）同士を切替可能に接続する際には、ＪＩＳ Ｃ ５９８２等に制定されるような、通称ＭＴ（Ｍｅｃｈａｎｉｃａｌｌｙ Ｔｒａｎｓｆｅｒａｂｌｅ）形光コネクタやＪＩＳ Ｃ ５９８２等に制定される光コネクタ用フェルールをハウジング内部に収納した構造を有する通称ＭＰＯ（Ｍｕｌｔｉｆｉｂｅｒ  Ｐｕｓｈ−Ｏｎ）形光コネクタ等が多く用いられている。
【０００４】
ＭＰＯ形光コネクタは、工具を使用せずに着脱できるようにした多心一括接続のワンタッチ着脱式の光コネクタであり、着脱が頻繁に行なわれる光配線に適した光コネクタである。ＭＰＯ形光コネクタを用いて光配線を接続する際に、ＭＰＯ形光コネクタ用アダプタを用いることが一般的である（例えば、特許文献１参照）。
【０００５】
図５は、従来のＭＰＯ形光コネクタ用アダプタを用いた接続例を示す図である。図５に示すように、ＭＰＯ形光コネクタ用アダプタ１の両側からＭＰＯ形光コネクタ２ａ，２ｂを挿入し２つの光コネクタの接続端面を突合せ状態で連結する。
【０００６】
この場合、ＭＰＯ形光コネクタ用アダプタ１は、１対の外部ハウジング１ａと、外部ハウジング内に挿入される一対のインナーハウジング１ｂとから構成される。
【０００７】
また、ＭＰＯ形光コネクタ２ａ，２ｂは、それぞれ複数の光ファイバを配置したフェルール３と、ハウジング４と、着脱操作筒５と、ブーツ６と、光ケーブル７とを備える。ＭＰＯ形光コネクタ２ａは、ピンなしタイプで、フェルール３にはピン孔８を有する。一方、ＭＰＯ形光コネクタ２ｂは、ピンありタイプで、フェルール３にはピン９を有する。
【先行技術文献】
【特許文献】
【０００８】
【特許文献１】特開平８−１８４７２８号公報
【発明の概要】
【発明が解決しようとする課題】
【０００９】
しかしながら、図５に示すような接続例において、ＭＰＯ形光コネクタ用アダプタ１は、ＭＰＯ形光コネクタ２ａ，２ｂを接続するためのものであり、片方の光ケーブルが光通信機器内部にあり、着脱が頻繁でない場合でもＭＰＯ形光コネクタを使用する必要となり、ＭＰＯ形光コネクタ２ａ，２ｂの構造が複雑で高価であるため、光ケーブルを接続するための部品代が高価となる欠点があった。
【００１０】
また、ＭＰＯ形光コネクタ２ａ，２ｂ自体の組立の際に、部品組込忘れ等があると、全て付け直す必要がある。そのため、光コネクタの組み立て作業における生産性が悪くなるという問題点があった。
【００１１】
そこで、本発明は、このような問題点を考慮してなされたもので、第１のハウジング部にＭＰＯ形光コネクタをワンタッチ着脱可能に保持し、第２のハウジング部にＭＴ形光コネクタを保持することで、片方に高価なＭＰＯ形光コネクタを使用する必要がなく多心光ケーブルを接続することができ、簡単な構造で部品代を削減することができる光コネクタ用アダプタおよび光コネクタの接続構造を提供することを目的とする。
【課題を解決するための手段】
【００１２】
上記課題を解決するため、本発明に係る光コネクタ用アダプタは、２つの光コネクタの接続端面を突合せ状態で連結する光コネクタ用アダプタにおいて、ＭＰＯ形光コネクタをワンタッチ着脱可能に保持する第１のハウジング部と、先端側の断面より後端側の断面が大きく形成され側面に段差部を有するＭＴ形光コネクタを保持する第２のハウジング部とを備え、前記第２のハウジング部の内側には前記ＭＴ形光コネクタの段差部に引っ掛かり前記ＭＴ形光コネクタの挿入位置を規制する位置決め部が形成され、前記第２のハウジング部の挿入口側には挿入された前記ＭＴ形光コネクタを保持する保持手段が形成されることを特徴とするものである。
【００１３】
例えば、前記保持手段は、前記第２のハウジング部の対向する両側面に内側へ突出する一対の係止部と、前記係止部の両側に前記第２のハウジング部の長手方向に沿って設けられたスリットとから構成される。
【００１４】
また、本発明に係る光コネクタの接続構造は、２つの光コネクタの接続端面を突合せ状態で連結する光コネクタ用アダプタを用いた光コネクタの接続構造において、ＭＰＯ形光コネクタをワンタッチ着脱可能に保持する第１のハウジング部と、ＭＴ形光コネクタを保持する第２のハウジング部と、前記第２のハウジング部に挿入され、先端側の断面より後端側の断面が大きく形成され側面に段差部を有するＭＴ形光コネクタとを備え、前記第２のハウジング部の内側には前記ＭＴ形光コネクタの段差部に引っ掛かり前記ＭＴ形光コネクタの挿入位置を規制する位置決め部が形成され、前記第２のハウジング部の挿入口側には前記ＭＴ形光コネクタを保持する保持手段が形成されることを特徴とするものである。
【００１５】
例えば、前記保持手段は、前記第２のハウジング部の対向する両側面に内側へ突出する一対の係止部と、前記係止部の両側に前記第２のハウジング部の長手方向に沿って設けられたスリットとから構成される。
【発明の効果】
【００１６】
本発明によれば、光コネクタ用アダプタおよび光コネクタの接続構造は、第１のハウジング部にＭＰＯ形光コネクタをワンタッチ着脱可能に保持し、第２のハウジング部にＭＴ形光コネクタを保持することで、片方に高価なＭＰＯ形光コネクタを使用する必要がなく多心の光ケーブルを接続することができ、簡単な構造で部品代を削減することができる。そのため、光通信機器内部に配置されるような着脱が頻繁でない場合において、ＭＰＯ形光コネクタを使用せず、構造が比較的に簡単なＭＴ形の光コネクタを使用することができ、コストを抑えることができる。また、ＭＰＯ形光コネクタの使用量を削減したことで、ＭＰＯ形光コネクタ自体の組立作業における生産性が悪くなるという問題の発生を削減することが可能である。
【００１７】
また、ＭＴ形光コネクタを保持する保持手段は、第２のハウジング部の対向する両側面に内側へ突出する一対の係止部と、係止部の両側に第２のハウジング部の長手方向に沿って設けられたスリットとから構成されることで、簡単な構造でコストを抑えることができ、かつＭＴ形光コネクタの挿入、固定を容易にできる。
【００１８】
また、ＭＰＯ形光コネクタとＭＴ形光コネクタの押圧力は、ＭＰＯ形光コネクタに組み込まれるバネ力を利用し、適正な押圧力を得ることができる。
【図面の簡単な説明】
【００１９】
【図１】実施の形態の光コネクタ用アダプタ１００の構成を示す斜視図である。
【図２】光コネクタ用アダプタ１００の構成を示す断面図である。
【図３】第１のハウジング部１０の構成を示す斜視図である。
【図４】実施の形態の光コネクタの接続構造２００の構成を示す断面図である。
【図５】従来のＭＰＯ形光コネクタ用アダプタを用いた接続例を示す図である。
【発明を実施するための形態】
【００２０】
以下、本発明に係る光コネクタ用アダプタおよび光コネクタの接続構造を実施するための形態を、図を参照して説明する。
【００２１】
図１は、実施の形態の光コネクタ用アダプタ１００の構成を示す斜視図である。図２は、光コネクタ用アダプタ１００の構成を示す断面図である。図２（ａ）は、光コネクタ用アダプタ１００のＡ−Ａ断面図であり、図２（ｂ）は、光コネクタ用アダプタ１００のＢ−Ｂ断面図である。図３は、第１のハウジング部１０の構成を示す斜視図である。
【００２２】
図１〜図３に示すように、光コネクタ用アダプタ１００は、２つの光コネクタの接続端面を突合せ状態で連結するものであり、ＭＰＯ形光コネクタをワンタッチ着脱可能に保持する第１のハウジング部１０と、先端側の断面より後端側の断面が大きく形成され側面に段差部を有するＭＴ形光コネクタを保持する第２のハウジング部２０とを備える。第１のハウジング部１０と第２のハウジング部２０とは、接続ピン（図示せず）を介して接続されている。
【００２３】
第１のハウジング部１０は、外部ハウジング１０ａと、外部ハウジング１０ａ内に挿入されるインナーハウジング１０ｂとから構成される。
【００２４】
外部ハウジング１０ａは、樹脂から成形されるものである。この外部ハウジング１０ａは、角筒状の本体１１と、鍔部１２とを有する。鍔部１２にはパネル等に固定するための取付穴１３が形成されている。
【００２５】
インナーハウジング１０ｂは、樹脂から成形されるものである。このインナーハウジング１０ｂは、角筒状の本体１４と、該本体１４の一端に設けられた凸縁部１５と、他端に設けられた一対の係合爪１６と、該係合爪１６の両側に設けられたスリット１７とを有する。
【００２６】
第２のハウジング部２０は、樹脂から成型されるものである。この第２のハウジング部２０は、角筒状の本体２１と、鍔部２２と、本体２１の内側に形成され、ＭＴ形光コネクタ３０（図４参照）の段差部に引っ掛かりＭＴ形光コネクタ３０の挿入位置を規制する位置決め部２３と、挿入口側に形成され、ＭＴ形光コネクタ３０を保持する保持手段としての一対の係止部２４およびスリット２５とを有する。鍔部２２にはパネル等に固定するための取付穴２６が形成されている。
【００２７】
係止部２４は、第２のハウジング部２０の対向する両側面に内側へ突出するように形成され、即ち、第２のハウジング部２０の挿入口の短手方向の対向する両側面に形成されている。スリット２５は、係止部２４の両側に第２のハウジング部２０の長手方向に沿って設けられた。スリット２５を設けることにより係止部２４を有する側壁部分に可撓性を持たせ、弾性変形が可能となる。ＭＴ形光コネクタ３０を挿入する際に、ＭＴ形光コネクタ３０は上下の係止部２４を押し拡げながら挿入され、一定位置にて固定されることが可能となる。なお、スリット２５の長さはＭＴ形光コネクタ３０を挿入する際に必要な弾性変形によって適宜に設計することができる。
【００２８】
図４は、実施の形態の光コネクタの接続構造２００の構成を示す断面図である。図４（ａ）は、ＭＴ形光コネクタ３０を装着した光コネクタ用アダプタ１００のＡ−Ａ断面を示す図であり、図２（ｂ）は、ＭＴ形光コネクタ３０を装着した光コネクタ用アダプタ１００のＢ−Ｂ断面を示す図である。
【００２９】
図４に示すように、光コネクタの接続構造２００は、２つの光コネクタの接続端面を突合せ状態で連結する光コネクタ用アダプタを用いた光コネクタの接続構造である。例えば、第１のハウジング部１０が光通信機器の外側に、第２のハウジング部２０が光通信機器の内側に配置する場合、外側にはＭＰＯ形光コネクタ２ａを接続する。また、内側には頻繁に着脱する必要がないので、ＭＴ形の光コネクタ３０を接続する。
【００３０】
光コネクタの接続構造２００は、ＭＰＯ形光コネクタ２ａをワンタッチ着脱可能に保持する第１のハウジング部１０と、ＭＴ形光コネクタを保持する第２のハウジング部２０と、第２のハウジング部２０に挿入され、先端側の断面より後端側の断面が大きく形成され側面に段差部を有するＭＴ形光コネクタ３０と、ＭＴ形光コネクタ３０のフェルール３１に挿入される位置決めピン３２を有するメタルピンクランプ４０とを備える。第２のハウジング部２０の内側にはＭＴ形光コネクタ３０の挿入位置を規制する位置決め部２３が形成され、第２のハウジング部２０の挿入口側にはメタルピンクランプ４０を介してＭＴ形光コネクタ３０を保持する保持手段が形成される。
【００３１】
保持手段としては、第２のハウジング部２０の対向する両側面に内側へ突出する一対の係止部２４と、該係止部２４の両側に第２のハウジング部２０の長手方向に沿って設けられたスリット２５とから構成される。
【００３２】
このように本実施の形態においては、光コネクタ用アダプタ１００は、ＭＰＯ形光コネクタ２ａをワンタッチ着脱可能に保持する第１のハウジング部１０と、ＭＴ形光コネクタ３０を保持する第２のハウジング部２０とを備える。第１のハウジング部１０は、外部ハウジング１０ａと、外部ハウジング内に挿入されるインナーハウジング１０ｂとから構成される。第２のハウジング部２０は、角筒状の本体２１と、鍔部２２と、ＭＴ形光コネクタ３０の挿入位置を規制する位置決め部２３と、ＭＴ形光コネクタ３０を保持する保持手段としての一対の係止部２４およびスリット２５とを有する。
【００３３】
また、光コネクタの接続構造２００は、光コネクタ用アダプタ１００を用いたものであり、ＭＰＯ形光コネクタ２ａをワンタッチ着脱可能に保持する第１のハウジング部１０と、ＭＴ形光コネクタ２０を保持する第２のハウジング部２０と、第２のハウジング部２０に挿入されたＭＴ形光コネクタと、ＭＴ形光コネクタ３０のフェルール３１に挿入される位置決めピン３２を有するメタルピンクランプ４０とを備える。
【００３４】
これにより、片方に高価なＭＰＯ形光コネクタを使用する必要がなく多心の光ケーブルを接続することができ、簡単な構造で部品代を削減することができる。そのため、光通信機器内部に配置されるような着脱が頻繁でない場合において、ＭＰＯ形光コネクタを使用せず、構造が比較的に簡単なＭＴ形光コネクタを使用することができ、コストを抑えることができる。
【００３５】
また、ＭＰＯ形光コネクタの使用量を削減したことで、ＭＰＯ形光コネクタ自体の組立作業における生産性が悪くなるという問題の発生を削減することが可能である。
【００３６】
また、ＭＴ形光コネクタ３０を保持する保持手段は、第２のハウジング部２０の対向する両側面に内側へ突出する一対の係止部２４と、係止部２４の両側に第２のハウジング部２０の長手方向に沿って設けられたスリット２５とから構成されることで、簡単な構造でコストを抑えることができ、かつＭＴ形光コネクタ３０の挿入、固定を容易にできる。
【００３７】
また、ＭＰＯ形光コネクタ２ａとＭＴ形光コネクタ３０の押圧力は、ＭＰＯ形光コネクタ２ａに組み込まれるバネを利用し、適正な押圧力を得ることができる。
【００３８】
なお、上述した実施の形態においては、第２のハウジング部２０の係止部２４は、第２のハウジング部２０の挿入口の短手方向の対向する両側面に形成されるものについて説明したが、これに限定されるものではない。挿入口の長手方向の対向する両側面に形成するようにしてもよい。
【００３９】
また、上述した実施の形態においては、光コネクタの接続構造２００のＭＴ形光コネクタ３０がピンありタイプであり、ＭＰＯ形光コネクタ２ａがピンなしタイプであるが、これに限定されるものではない。ＭＴ形光コネクタ３０をピンなしタイプにし、ＭＰＯ形光コネクタ２ａがピンありタイプにしてもよい。
【００４０】
また、上述した実施の形態においては、第１のハウジング部１０および第２のハウジング部２０は、樹脂から成型されるものについて説明したが、これに限定されるものではない。
【産業上の利用可能性】
【００４１】
この発明は、テープ状等の多心光ケーブルを接続する際に、コストを抑えるために片方のみＭＰＯ形光コネクタを用いた場合に利用できる。
【符号の説明】
【００４２】
１  ＭＰＯ形光コネクタ用アダプタ
１ａ  外部ハウジング
１ｂ  インナーハウジング
２ａ，２ｂ  ＭＰＯ形光コネクタ
３  フェルール
４  ハウジング
５  着脱操作筒
６  ブーツ
７  光ケーブル
８  ピン孔
９  ピン
１０  第１のハウジング部
１０ａ  外部ハウジング
１０ｂ  インナーハウジング
１１  本体
１２  鍔部
１３  取付穴
１４  本体
１５  凸縁部
１６  係合爪
１７  スリット
２０  第２のハウジング部
２１  本体
２２  鍔部
２３  位置決め部
２４  係止部
２５  スリット
２６  取付穴
３０  ＭＴ形光コネクタ
３１  フェルール
３２  位置決めピン
４０  メタルピンクランプ
１００  光コネクタ用アダプタ
２００  光コネクタの接続構造
【図１】
2011221397.tif 000003
【図２】
2011221397.tif 000004
【図３】
2011221397.tif 000005
【図４】
2011221397.tif 000006
【図５】
2011221397.tif 000007